(57)【要約】【課題】ピンの耐久性を向上させ、しかもピンがクローザフックと衝突するときの衝撃音の発生を抑えたソフトクローザ機構を備えたキャビネットを提供すること。【解決手段】クローザＳ１は、扉１ｂの開閉方向に移動可能に支持されたスライダー１２と、スライダー１２の閉方向への移動を減速させるロータリーダンパー１４と、スライダー１２に取付けられたクローザフック１６とで構成され、扉１ｂの閉動作行程における終了近傍において、係止ピン１０がクローザフック１６と係合してピン軸１０ａに外嵌した緩衝チューブ１０ｂを回動させ、その後スライダー１２を閉方向に移動して扉を閉じ、扉１ｂの開動作行程における係止ピン１０がクローザフック１６と離脱する時にも緩衝チューブ１０ｂを回動させて、耐久性の向上を図り、かつ緩衝チューブ１０ａによりクローザフック１６との係合時における衝撃力を抑える。【選択図】  図４
2004332307.tif 000002
【特許請求の範囲】
【請求項１】
移動体の移動終了近傍より移動終了に向けて緩やかな動作を完了するようにしたソフトクローザ機構であって、前記ソフトクローザ機構は、移動体に設けた係止ピンと、移動体の移動終了近傍で該係止ピンと係脱する固定体に取付けたクローザとから成り、前記クローザは、移動体の移動により移動可能に支持されたスライダーと、該スライダーの移動終了方向への移動を減速させるダンパーと、スライダーに取付けられたクローザフックとで構成され、前記係止ピンはピン軸に対し回動自在に嵌合する緩衝チューブを有し、移動体の移動終了行程における移動終了近傍で係止ピンが前記クローザフックと係合する時に緩衝チューブが回動し、その後スライダーを移動体の移動終了方向に移動させ、移動体の反移動終了行程における前記移動終了近傍で係止ピンがクローザフックと離脱する時にも緩衝チューブが回動することを特徴とするソフトクローザ機構。
【請求項２】
前記クローザフックはスライダーに揺動自在に且つスライダーの移動方向と直交方向に摺動可能に取付けられ、係止ピンがこのクローザフックと係合する場合は、クローザフックが一方向に揺動すると共に摺動し、係止ピンがこのクローザフックと離脱する場合は、クローザフックが他方向に揺動すると共に摺動し、係止ピンがクローザフックと再び係合するまではクローザフックはその離脱位置を保持している請求項１に記載のソフトクローザ機構。
【請求項３】
前記クローザフックの先端フック部は中間が円弧状で両端が略直線状の切欠き孔部が形成され、係止ピンがこのクローザフックと係合する場合は、前記緩衝チューブが一方の直線状切欠き孔部上で回動しながら円弧状切欠き孔部に移行し、係止ピンがこのクローザフックと離脱する場合は、前記緩衝チューブが円弧状切欠き孔部から離れて他方の直線状切欠き孔部上で移行しながら回動する請求項１または２に記載のソフトクローザ機構。
【請求項４】
前記ダンパーは、スライダーの反移動終了方向への移動に対してはフリーとする一方向ダンパーである請求項１ないし３の何れかに記載のソフトクローザ機構。
【請求項５】
前記スライダーには移動終了方向へ常に引き込み力が作用する弾性部材が装架されている請求項１ないし４の何れかに記載のソフトクローザ機構。
【請求項６】
前記移動体が扉であり、前記固定体が開口を有するキャビネット本体であり、移動体の移動終了方向は扉を閉じる方向であり、反移動終了方向は扉を開放する方向である請求項１ないし５の何れかに記載のソフトクローザ機構。
【請求項７】
前記扉の中央部近傍に前記ソフトクローザ機構に取付けられ、かつ取っ手の取付位置とほぼ同じ高さレベルにある請求項６に記載のソフトクローザ機構。
【請求項８】
前記扉は上レールにより吊り下げ支持された吊扉であり、前記キャビネット本体には略中間位置に幅方向に亘って案内支持部材が設けられ、前記吊扉には該案内支持部材に沿って移動するガイドピンが設けられ、前記係止ピンはこのガイドピン近傍に設けられている請求項６または７に記載のソフトクローザ機構。
【請求項９】
前記ガイドピンと係止ピンは、ともに扉に取付けられる取付金具に設けられている請求項８に記載のソフトクローザ機構。
【請求項１０】
前記扉は複数枚から成るシンクロスライド扉である請求項６ないし９の何れかに記載のソフトクローザ機構を備えたキャビネット。
【発明の詳細な説明】
【０００１】
【発明の属する技術分野】
本発明は、移動体の移動終了近傍より移動終了に向けて緩やかな動作を完了するようにしたソフトクローザ機構に関する。
【０００２】
【従来の技術】
従来、抽斗や扉等の可動部にソフトクローザ機構を適用して緩やかな閉動作を行うようにするものとして、例えば特許文献１に記載の「家具の可動部分の閉動作および／または引き込みのための装置」が知られている。図６は前記特許文献に開示されているソフトクローザ機構の斜視図である。
【０００３】
図６において、０１はクローザであって、可動部材（図示せず）と同方向に移動できるクローザプレート０２に支持されたスライダー０３と、スライダー０３のラック０３ａと噛み合うピニオン０４を有する回転ダンパー（図示せず）と、スライダー０３に軸０５を介して揺動自在に取付けたクローザフック０６とで構成されている。そしてスライダー０３には、一端がクローザプレート０２に係止し、他端がクローザフック０６に係止した引っ張りバネ０７により、扉の閉方向に常に引き込み力が作用しているが、可動部材が作用しない状態では、クローザフック０６がオフセットされたガイドウェイ０８により移動が拘束されているために、スライダー０３が扉の閉方向へ移動してしまうことはない。
【０００４】
ソフトクローザ機構はクローザ０１と可動部材に取付けたピン（図示せず）とで構成され、クローザフック０６には可動部材のピンと係合可能な円弧状の孔０６ａが形成されている。可動部材が閉方向に移動してピンが円弧状の孔０６ａをとらえると、クローザフック０６が揺動してオフセットされたガイドウェイ０８から外れ、可動部材と一体になってスライダー０３が閉方向に移動する。この時スライダー０３はラック０３ａと噛み合うピニオン０４を回動するため、回転ダンパーからの緩衝作用で減速される。
【０００５】
【特許文献１】
特開２００１−２４５７３８号公報（第３、４頁、図１１−１４）
【０００６】
【発明が解決しようとする課題】
しかしながら、上記特許文献１に記載のソフトクローザ機構は、可動部材のピンは常にその同一箇所がクローザフック０６の円弧状の孔０６ａと当接するために損耗が激しく、しかも可動部材の閉動作速度が大きいとピンがクローザフックと衝突するときの衝撃音が発生するという問題があった。
【０００７】
本発明は、このような状況に鑑みてなされたものであり、ピンの耐久性を向上させ、しかもピンがクローザフックと衝突するときの衝撃音の発生を抑えたソフトクローザ機構を提供することを目的とするものである。
【０００８】
【課題を解決するための手段】
上記課題を解決するために、本発明のソフトクローザ機構は、移動体の移動終了近傍より移動終了に向けて緩やかな動作を完了するようにしたソフトクローザ機構であって、前記ソフトクローザ機構は、移動体に設けた係止ピンと、移動体の移動終了近傍で該係止ピンと係脱する固定体に取付けたクローザとから成り、前記クローザは、移動体の移動により移動可能に支持されたスライダーと、該スライダーの移動終了方向への移動を減速させるダンパーと、スライダーに取付けられたクローザフックとで構成され、前記係止ピンはピン軸に対し回動自在に嵌合する緩衝チューブを有し、移動体の移動終了行程における移動終了近傍で係止ピンが前記クローザフックと係合する時に緩衝チューブが回動し、その後スライダーを移動体の移動終了方向に移動させ、移動体の反移動終了行程における前記移動終了近傍で係止ピンがクローザフックと離脱する時にも緩衝チューブが回動することを特徴としている。
この特徴によれば、係止ピンの係脱時に緩衝チューブが回動するので、係止ピンの特定箇所だけが損耗することがなく耐久性を向上させることができるばかりでなく、係止ピンには緩衝チューブが外嵌しているので、クローザフックと係合するときの衝撃力を抑えることができる。
【０００９】
本発明のソフトクローザ機構において、前記クローザフックはスライダーに揺動自在に且つスライダーの移動方向と直交方向に摺動可能に取付けられ、係止ピンがこのクローザフックと係合する場合は、クローザフックが一方向に揺動すると共に摺動し、係止ピンがこのクローザフックと離脱する場合は、クローザフックが他方向に揺動すると共に摺動し、係止ピンがクローザフックと再び係合するまではクローザフックはその離脱位置を保持していることが好ましい。
このようにすれば、クローザフックが係止ピンと係合しやすい位置に待機することができ、係合後は係止ピンがクローザフックから外れないようにクローザフックを移動させることができる。
【００１０】
本発明のソフトクローザ機構において、前記クローザフックの先端フック部は中間が円弧状で両端が略直線状の切欠き孔部が形成され、係止ピンがこのクローザフックと係合する場合は、前記緩衝チューブが一方の直線状切欠き孔部上で回動しながら円弧状切欠き孔部に移行し、係止ピンがこのクローザフックと離脱する場合は、前記緩衝チューブが円弧状切欠き孔部から離れて他方の直線状切欠き孔部上で移行しながら回動することが好ましい。
このようにすれば、緩衝チューブが切欠き孔部と係合するとき及び離脱するときに、略直線状の切欠き孔部と接触するようにしているので、緩衝チューブの回動を促進することができる。
【００１１】
本発明のソフトクローザ機構において、前記ダンパーは、スライダーの反移動終了方向への移動に対してはフリーとする一方向ダンパーであることが好ましい。
このようにすれば、扉の開動作の時にダンパーからの抵抗を受けることなく開けることができる。
【００１２】
本発明のソフトクローザ機構において、前記スライダーには移動終了方向へ常に引き込み力が作用する弾性部材が装架されていることが好ましい。
このようにすれば、移動体の移動終了近傍から終了までは人の手を煩わせることなく弾性部材で自動的にゆっくりと閉鎖することができる。
【００１３】
本発明のソフトクローザ機構において、前記移動体が扉であり、前記固定体が開口を有するキャビネット本体であり、移動体の移動終了方向は扉を閉じる方向であり、反移動終了方向は扉を開放する方向であることが好ましい。
このようにすれば、扉を閉じたときの閉鎖音を抑えることができる。
【００１４】
本発明のソフトクローザ機構において、前記扉の中央部近傍に前記ソフトクローザ機構に取付けられ、かつ取っ手の取付位置とほぼ同じ高さレベルにあることが好ましい。
このようにすれば、扉の減速作用を受ける部分が中央部近傍で取っ手の取付位置と近ければ、扉が歪むことなく安定して開閉できる。
【００１５】
本発明のソフトクローザ機構において、前記扉は上レールにより吊り下げ支持された吊扉であり、前記キャビネット本体には略中間位置に幅方向に亘って案内支持部材が設けられ、前記吊扉には該案内支持部材に沿って移動するガイドピンが設けられ、前記係止ピンはこのガイドピン近傍に設けられていることが好ましい。
このようにすれば、吊扉がガイドピンによってその揺れを抑えることができ、係止ピンがガイドピン近傍に設けられているので、係止ピンもガイドピンの移動に同調して揺れの少ない直線状の走行が可能である。
【００１６】
本発明のソフトクローザ機構において、前記ガイドピンと係止ピンは、ともに扉に取付けられる取付金具に設けられていることが好ましい。
このようにすれば、取付金具によってガイドピンと係止ピンとの位置関係が固定されるので、係止ピンにより正確な直線走行を与えることができる。
【００１７】
本発明のソフトクローザ機構において、前記扉は複数枚から成るシンクロスライド扉であることが好ましい。
このようにすれば、左右の両外扉側にそれぞれソフトクローザ機構を配設することにより、左右均等に衝撃なく閉鎖することができ、特に、請求項５に記載されているように、弾性部材を装架した場合は両扉でキャビネット開口を完全に閉鎖することができる。
【００１８】
【発明の実施形態】
図１は本発明の一実施形態に係るソフトクローザ機構を備えたキャビネットの正面図、図２はキャビネット内部の中間棚と吊扉端部に対応して配置されたソフトクローザ機構を示す斜視図、図３の（ａ）は（ｂ）のＢ−Ｂ断面を示しクローザの内部構造を示す平面図、（ｂ）は（ａ）のＡ−Ａ断面図、図４はソフトクローザ機構の全体斜視図、図５（ａ）は係止ピンが係合または離脱時におけるクローザフックの状態を示す動作説明図、（ｂ）は係止ピンが係合した状態にあるクローザフックの状態を示す動作説明図である。
【００１９】
本発明は抽斗や扉等のあらゆる移動体の移動終了近傍より移動終了に向けて緩やかな動作を完了するようにしたソフトクローザ機構に関するものであるが、このソフトクローザ機構を吊扉に適用した例に付き説明する。図１に示す１は吊扉であって、この吊扉１は、キャビネット等の戸棚本体２の開口上端部の前後に隣接して取付けられた１対の吊下げレール４の前方側に吊り下げられて戸棚本体２の幅方向に移動され、閉鎖時には戸棚本体２の両側に配置される２枚の外扉１ｂ，１ｃと、後方の吊下げレール４に吊り下げられて戸棚本体２の幅方向に外扉１ｂ，１ｃの内側で引き違い可能に移動され、閉鎖時には両外扉１ｂ，１ｃの中間に配置される１枚の幅広の内扉１ａとから構成されている。
【００２０】
図２に示すように、戸棚本体２内部の高さ方向略中間部には棚板２ａが設けられていて、この棚板２ａ前端の下面には幅方向全長に亘って案内支持部材となる下方が開放した案内溝５ａを有する断面コ字型のレール５が固設されており、両外扉１ｂ，１ｃの表側には棚板２ａに対応する略同じ高さレベルに取っ手Ｈ１，Ｈ２が取付けられており、両外扉１ｂ，１ｃ裏面の左右端部には、上下方向中間部に内部を向く鋼鈑で形成された取付金具となるブラケット６が取着されている。
【００２１】
このブラケット６は、棚板２ａ左右端部の下面に取付けられた後述するクローザＳ１，Ｓ２に対応する高さ位置にあって、垂直片６ｄ端部に折曲形成された取付け片６ａと、垂直片６ｄの上端に開閉方向後方に向けて折曲形成された２つの水平支持片６ｂ，６ｃと、手前側の水平支持片６ｂの上面に垂直に立設した案内溝５ａに係合する円柱状のガイドピン８と、このガイドピン８に近接配置され奥側の水平支持片６ｃの上面に垂直に立設し後述するクローザフック１６に係合する係止ピン１０と、垂直片６ｄの当接側前面に突設するように装着された２つのゴム製の緩衝部材Ｄとで構成されている。
【００２２】
このように、ソフトクローザ機構の取付高さ位置を、吊扉１の高さ方向中央部近傍となる取っ手Ｈ１，Ｈ２の取付位置とほぼ同じレベルに配置することで、両外扉１ｂ，１ｃが歪むことなく安定して開閉できる。
【００２３】
次に、本発明のソフトクローザ機構に付き図３および図４を参照して説明する。
【００２４】
ソフトクローザ機構は、吊扉１の閉動作終了近傍より扉の閉動作終了に向けて緩やかな閉動作を完了するようにするためのものであって、吊扉１の両外扉１ｂ，１ｃ裏面における左右端部に取着されたブラケット６（図４参照）の水平支持片６ｃ上に設けられた係止ピン１０と、両外扉１ｂ，１ｃの閉動作終了近傍で上記係止ピン１０と係脱すべく棚板２ａ左右端部の下面に取付けられた左右勝手違いのクローザＳ１，Ｓ２とから成り、係止ピン１０は金属製のピン軸１０ａとこのピン軸１０ａに回動可能に挿嵌した合成樹脂等の軟質材の緩衝チューブ１０ｂとで構成されている。
【００２５】
これらのクローザＳ１，Ｓ２は、上下に分割可能な後述する薄型矩形状に形成された左右勝手違いのケース本体内部に収容されており、このケース本体は、図３（ｂ）に示すように、樹脂材で一体成形されるベースケーシングＳ２ａと、このベースケーシングＳ２ａの接合部に重ね合せて接合されるカバーケーシングＳ２ｂとから構成され、ベースケーシングＳ２ａは、棚板２ａ前端の左右端部裏面に直接取付けられている。
【００２６】
図３の（ａ），（ｂ）には右勝手のクローザＳ２が示されており、このクローザＳ２は、吊扉１の開閉方向にケース本体により移動可能に支持されたスライダー１２と、このスライダー１２の外扉１ｃ閉方向への移動を減速させるロータリーダンパー１４と、スライダー１２の一部前方に取付けられたクローザフック１６とから構成されている。
【００２７】
ベースケーシングＳ２ａとカバーケーシングＳ２ｂの対向する底面には、スライダー１２を案内すべく所定間隔離間した２本の案内部となる扉の移動方向と平行なガイドレール１８ａ’，１８ｂ’および１８ａ，１８ｂが長手方向全長に亘って突設され、両ケーシングＳ２ａ，Ｓ２ｂ前端縁の対設する接合部間には、両者を接合した際の接合部にクローザフック１６を挿通するための隙間を形成するための所定長さの切欠き溝２０が長手方向に沿ってそれぞれ形成されている。
【００２８】
更に、ベースケーシングＳ２ａとカバーケーシングＳ２ｂ前方の対向面には、切欠き溝２０の内側に沿うように片側端部近傍から所定長さの直線溝２２ａが形成されると共に、この直線溝２２ａの外扉開方向端部側が内側に約直角に曲がる所定半径の円弧溝２２ｂが連続して形成されている。
【００２９】
そして、ケース本体の内部後方には公知のロータリーダンパー１４を配置するための収容エリアが設けられており、この収容エリアとなるカバーケーシングＳ２ｂの底面にはロータリーダンパー１４の取付フランジ１４ａの外周が挿嵌される所定深さの収容凹部２５が形成されており、ベースケーシングＳ２ａの底面には収容凹部２５の対向位置にロータリーダンパー１４の前端を当接支持するための支持片１５が突設している。
【００３０】
このロータリーダンパー１４は、内部に封入されたオイルの粘性抵抗により発生する制動力を利用した回転系のダンパーであって、ピニオンギャＰが装着される出力軸１４ｂの一方の回転方向に対しては制動力が付与され他方の回転方向に対しては制動負荷のないフリー回転が得られる構造となっている。
【００３１】
そして、対向する両ケーシングＳ２ａ，Ｓ２ｂのガイドレール１８ａ’，１８ｂ’および１８ａ，１８ｂの外扉閉方向端部側には、後述する上下一対の弾性部材となる引張りコイルばねＳＰの一端係止部ＳＰ１をそれぞれ係止するための上下一対の係止溝Ｇ１がそれぞれ対向位置に形成されている。
【００３２】
両ケーシングＳ２ａ，Ｓ２ｂの対向するガイドレール１８ａ’，１８ｂ’および１８ａ，１８ｂは、矩形板状に形成された樹脂製のスライダー１２の上下面の一対のガイド溝にはまり込み、スライダー１２の扉の開閉方向への移動を案内支持している。
【００３３】
スライダー１２には、外扉閉方向端部側の前方に後述するクローザフック１６の係止アーム２８端部を挿入するための係合凹部を形成した外形角形の係合筒部２６が形成されると共に、後方側面には長手方向に沿ってラック歯Ｒが形成されている。
【００３４】
更に、スライダー１２上下面の外扉開方向端部側には、上下一対の引張りコイルばねＳＰの他端係止部ＳＰ２（図４参照）をそれぞれ係止するための上下一対の係止溝Ｇ２がそれぞれ形成されている。
【００３５】
そこで、スライダー１２の上下一対の係止溝Ｇ２と両ケーシングＳ２ａ，Ｓ２ｂの対向する上下一対の係止溝Ｇ１に上下一対の引張りコイルばねＳＰの両端係止部ＳＰ２，ＳＰ１を係止することで、スライダー１２は、外扉閉方向に付勢され、吊扉の閉動作終了時には係合筒部２６の一方側面がカバーケーシングＳ２ｂ内部の外扉閉方向端部に設けられたゴム製の緩衝当接部３２に当接しており、スライダー１２のラック歯Ｒは、収容凹部２５に収容されたロータリーダンパー１４のピニオンギャＰと常に噛合している。
【００３６】
一方、スライダー１２の係合筒部２６に形成される係合凹部は、断面十字型の凹溝２８ａ，２８ｂ（一対の凹溝のみ図３ｂに図示）がスライダー１２の移動方向と直交する方向に形成されており、これら凹溝２８ａ，２８ｂに開口端部から挿入されたクローザフック１６の係止アーム２８端部両面に突設した係合突起Ｔ１，Ｔ２が摺動可能に支持されると共に、この状態でクローザフック１６の前方側上下両面に左右に離間して突設した係合突起３０ａ，３０ｂ及び３０ａ’，３０ｂ’が、直線溝２２ａないし円弧溝２２ｂに摺動可能に案内支持されている。
【００３７】
そして、クローザフック１６先端にフック部として形成される切欠き孔部Ｆは、図３（ａ）及び図５（ａ），（ｂ）に示すように、中間に円弧部１６ａが形成され、その両側に所定角度をもって形成される第１直線部１６ｂ及び第２直線部１６ｃと、第２直線部１６ｃから連なる第３直線部１６ｄとから構成されている。
【００３８】
従って、クローザフック１６が直線溝２２ａの外扉１ｂ，１ｃ閉止端側、または円弧溝２２ｂ端部となる外扉１ｂ，１ｃ開放側にあるときは、クローザフック１６は、図５の（ａ），（ｂ）に示すように後述する２つの異なる態様がとられている。
【００３９】
次に、ソフトクローザ機構の作用に付き説明する。
【００４０】
先ず、上記のように構成されたクローザフック１６は、図１に示す外扉１ｂ，１ｃが閉止位置にある場合は、図３（ａ）に示すように係止ピン１０が切欠き孔部Ｆに係合した状態で閉止端側（右端側）に保持されている。
【００４１】
そこで、外扉１ｂ，１ｃの何れか一方または両方を閉止状態から取っ手Ｈ１またはＨ２を持って開放させる。例えば、外扉１ｃを開放すると、外扉１ｃの移動によってガイドピン８がレール５の案内溝５ａを移動し、ガイドピン８と一体になって移動する係止ピン１０は、図３（ａ）に示すようにクローザフック１６の切欠き孔部Ｆに係合した状態でスライダー１２を上下一対の引張りコイルばねＳＰの付勢力に抗して左方に移動する。
【００４２】
スライダー１２が左方へ移動する際には、スライダー１２のラック歯Ｒと噛合しているピニオンギャＰを介してロータリーダンパー１４は時計廻りにフリー回転する。
【００４３】
係止ピン１０が係止した状態でクローザフック１６がスライダー１２と共に更に左行すると、このクローザフック１６は、その係合突起３０ａ，３０ｂ及び３０ａ’，３０ｂ’が直線溝２２ａから円弧溝２２ｂに移行する際に、係合筒部２６の凹溝２８ａ，２８ｂ内に係合している係止アーム２８端部の表裏一体の係合突起Ｔ１，Ｔ２が開口側前方に移動しながら、この係合突起Ｔ１，Ｔ２を中心として時計廻りに揺動する。
【００４４】
更に、左行端まで移行したスライダー１２によってクローザフック１６の切欠き孔部Ｆは、図３（ａ）に仮想線で示すように第３直線部１６ｄがケース本体の前端縁と同一線上に位置する傾斜した姿勢となる。
【００４５】
これによって、外扉１ｃ内側の係止ピン１０は、クローザフック１６の切欠き孔部Ｆから容易に抜け出し、外扉１ｃは開放端まで移動可能な状態となる。この際、ピン軸１０ａに回動可能に挿嵌した緩衝チューブ１０ｂが第２直線部１６ｃと接触している間その摩擦力により回動する。
【００４６】
係止ピン１０が抜け出した後のクローザフック１６の係合突起３０ａ（３０ａ’）は円弧溝２２ｂの端部溝と係合し、引張りコイルばねＳＰの付勢力は図３（ａ）において２点鎖線で示したクローザフック１６を更に時計廻りに揺動しようとするので、スライダー１２はその位置にロックされてこの姿勢が保持される。
【００４７】
次に、開放された外扉１ｃを閉じるに際し、外扉１ｃのガイドピン８と一体になって右方に移動する係止ピン１０が、外扉開放側に位置しているクローザフック１６の先端切欠き孔部Ｆに係合する。
【００４８】
詳しくは、図５の（ａ）に示すように、係止ピン１０がクローザフック１６の第１直線部１６ｂに当接すると、クローザフック１６は、係合突起Ｔ１，Ｔ２が凹溝２８ａ，２８ｂに沿って開口側後方に移動しながら係合突起Ｔ１，Ｔ２を中心として係合突起３０ａ，３０ｂ及び３０ａ’，３０ｂ’が円弧溝２２ｂに案内されて反時計廻りに揺動する。
【００４９】
そこで、クローザフック１６は、その反時計廻りの揺動と前方側への移動によって図５（ｂ）に示される姿勢となる。この際、ピン軸１０ａに回動可能に挿嵌した緩衝チューブ１０ｂが第１直線部１６ｂと接触している間その摩擦力により回動する。
【００５０】
切欠き孔部Ｆの円弧部１６ａ内に飛び込み係止した係止ピン１０の外扉閉止方向への移動作用により、クローザフック１６を介してスライダー１２が右方へ移動し、同時にスライダー１２のラック歯Ｒと噛合しているピニオンギャＰを介してロータリーダンパー１４が反時計廻りに回転すると、このロータリーダンパー１４に制動力が発生する。
【００５１】
そのため閉止方向へ移動する外扉１ｃの慣性力が大きい場合は、その速度が急激に減速された状態で閉止端まで移動することで衝撃が緩和され、外扉１ｃの慣性力が小さい場合は、引張りコイルばねＳＰの牽引力でスライダー１２を自動的に閉止端まで緩やかに移動することができ、最後に係合筒部２６の一方側面が緩衝当接部３２に当接することで衝撃力が緩和されて停止する。
【００５２】
従って、上記のように構成されたソフトクローザ機構によれば、係止ピン１０がクローザフック１６の切欠き孔部Ｆに係脱する際に、軟質材で構成された緩衝チューブ１０ｂがピン軸１０ａの周りを回動するので、係止ピン１０の特定箇所だけが損耗することがなく耐久性を向上させることができるばかりでなく、緩衝チューブ１０ｂによりクローザフック１６と係合するときの衝撃力を抑えることができる。
【００５３】
また、係止ピン１０がこのクローザフック１６と離脱する場合は、この係止ピン１０がクローザフック１６と再び係合するまではこのクローザフック１６はその離脱位置を保持しているので、クローザフック１６を係止ピン１０と係合しやすい位置に待機することができ、係合後は係止ピン１０が円弧部１６ａにはまり込んでクローザフック１６を移動させることができる。
【００５４】
更に、緩衝チューブ１０ｂが切欠き孔部Ｆと係合するとき及び離脱するときには、第１直線部１６ｂまたは第２直線部１６ｃと接触するようになっているので、緩衝チューブ１０ｂの回動を促進することができる。
【００５５】
そして、スライダー１２の閉方向への移動を減速させるロータリーダンパー１４は、スライダー１２の開方向への移動に対してはフリーとなる一方向ロータリーダンパーで構成されているので、外扉１ｂ，１ｃの開動作の時にロータリーダンパー１４からの抵抗を受けることなく開けることができる。
【００５６】
そしてまた、スライダー１２には、外扉１ｂ，１ｃの閉方向へ常に引き込み力が作用する上下一対の引張りコイルばねＳＰが装架されているので、外扉１ｂ，１ｃの閉動作終了近傍から終了までは人の手を煩わせることなく上下一対の引張りコイルばねＳＰで自動的にゆっくりと閉鎖することができる。
【００５７】
また、扉が吊扉である場合に、吊扉１がレール５の案内溝５ａに移動可能に係合したガイドピン８によってその揺れを抑えることができ、係止ピン１０がガイドピン１０の近傍に設けられているので、係止ピン１０もガイドピン８の移動に同調して揺れの少ない直線状の走行が可能となる。
【００５８】
更に、ガイドピン８と係止ピン１０は、ともに外扉１ｂ，１ｃ裏面の左右端部に取付けられる鋼鈑製のブラケット６によって、ガイドピン８と係止ピン１０との位置関係が確保されるので、係止ピン１０による正確な直線走行が可能となる。
【００５９】
尚、上記の実施形態では、各外扉が独立して移動可能な構成の吊扉１にソフトクローザ機構を適用した例として説明したが、この機構を図示しない複数枚から成るシンクロスライド扉に適用することも可能であり、このようにすれば、左右の外扉が戸棚本体２に対して緩やかな閉動作を完了するように左右にソフトクローザ機構を配設することで左右均等に衝撃なく閉鎖することができ、特に、引張りコイルばねＳＰを装架した場合は両外扉でキャビネット開口を完全に閉鎖することができる。
【００６０】
以上、本発明の実施形態を図面により説明してきたが、具体的な構成はこれら実施例に限られるものではなく、例えば、扉を吊扉として説明してきたが、通常の開閉扉に適用できることは言うまでもない。又、クロゼットの如き造り付けの収納部の開口に扉をはめ込んでソフトクローザ機構を取付けるようなものも本発明の範囲に含まれる。
【００６１】
【発明の効果】
本発明は以下の効果を奏する。
【００６２】
（ａ）請求項１項の発明によれば、係止ピンの係脱時に緩衝チューブが回動するので、係止ピンの特定箇所だけが損耗することがなく耐久性を向上させることができるばかりでなく、係止ピンには緩衝チューブが外嵌しているので、クローザフックと係合するときの衝撃力を抑えることができる。
【００６３】
（ｂ）請求項２項の発明によれば、クローザフックが係止ピンと係合しやすい位置に待機することができ、係合後は係止ピンがクローザフックから外れないようにクローザフックを移動させることができる。
【００６４】
（ｃ）請求項３項の発明によれば、緩衝チューブが切欠き孔部と係合するとき及び離脱するときに、略直線状の切欠き孔部と接触するようにしているので、緩衝チューブの回動を促進することができる。
【００６５】
（ｄ）請求項４項の発明によれば、扉の開動作の時にダンパーからの抵抗を受けることなく開けることができる。
【００６６】
（ｅ）請求項５項の発明によれば、移動体の移動終了近傍から終了までは人の手を煩わせることなく弾性部材で自動的にゆっくりと閉鎖することができる。
【００６７】
（ｆ）請求項６項の発明によれば、扉を閉じたときの閉鎖音を抑えることができる。
【００６８】
（ｇ）請求項７項の発明によれば、扉の減速作用を受ける部分が中央部近傍で取っ手の取付位置と近ければ、扉が歪むことなく安定して開閉できる。
【００６９】
（ｈ）請求項８項の発明によれば、吊扉がガイドピンによってその揺れを抑えることができ、係止ピンがガイドピン近傍に設けられているので、係止ピンもガイドピンの移動に同調して揺れの少ない直線状の走行が可能である。
【００７０】
（ｉ）請求項９項の発明によれば、取付金具によってガイドピンと係止ピンとの位置関係が固定されるので、係止ピンにより正確な直線走行を与えることができる。
【００７１】
（ｊ）請求項１０項の発明によれば、左右の両外扉側にそれぞれソフトクローザ機構を配設することにより、左右均等に衝撃なく閉鎖することができ、特に、請求項５に記載されているように、弾性部材を装架した場合は両扉でキャビネット開口を完全に閉鎖することができる。
【図面の簡単な説明】
【図１】本発明の一実施形態に係るソフトクローザ機構を備えたキャビネットの正面図である。
【図２】キャビネット内部の中間棚と吊扉端部に対応して配置されたソフトクローザ機構を示す斜視図である。
【図３】（ａ）は（ｂ）のＢ−Ｂ断面を示しクローザの内部構造を示す平面図、（ｂ）は（ａ）のＡ−Ａ断面図である。
【図４】ソフトクローザ機構の全体斜視図である。
【図５】（ａ）は係止ピンが係合または離脱時におけるクローザフックの状態を示す動作説明図、（ｂ）は係止ピンが係合した状態にあるクローザフックの状態を示す動作説明図である。
【図６】従来のソフトクローザ機構の斜視図である。
【符号の説明】
１                      吊扉
１ａ                    内扉
１ｂ，１ｃ              外扉
２                      戸棚本体
２ａ                    棚板
４                      吊下げレール
５                      レール（案内支持部材）
５ａ                    案内溝
６                      ブラケット
６ａ                    取付け片
６ｂ，      ６ｃ              水平支持片
６ｄ                    垂直片
８                      ガイドピン
１０                    係止ピン
１０ａ                  ピン軸
１０ｂ                  緩衝チューブ
１２                    スライダー
１４                    ロータリーダンパー
１４ａ                  取付フランジ
１４ｂ                  出力軸
１５                    支持片
１６                    クローザフック
１６ａ                  円弧部
１６ｂ                  第１直線部
１６ｃ                  第２直線部
１６ｄ                  第３直線部
１８ａ，１８ｂ          ガイドレール
１８ａ’，１８ｂ’        ガイドレール
２０                    切欠き溝
２２ａ                  直線溝
２２ｂ                  円弧溝
２５                    収容凹部
２６                    係合筒部
２８                    係止アーム
２８ａ，２８ｂ          凹溝
３０ａ，３０ｂ          係合突起
３０ａ’，３０ｂ’        係合突起
３２                    緩衝当接部
Ｄ                      緩衝部材
Ｆ                      切欠き孔部
Ｇ１，Ｇ２              係止溝
Ｈ１，Ｈ２              取っ手
Ｐ                      ピニオンギャ
Ｒ                      ラック歯
Ｓ１，Ｓ２              クローザ
Ｓ２ａ                  ベースケーシング
Ｓ２ｂ                  カバーケーシング
ＳＰ                    引張りコイルばね
ＳＰ１，ＳＰ２          係止部
Ｔ１，Ｔ２              係合突起
【図１】
2004332307.tif 000003
【図２】
2004332307.tif 000004
【図３】
2004332307.tif 000005
【図４】
2004332307.tif 000006
【図５】
2004332307.tif 000007
【図６】
2004332307.tif 000008